(57)【要約】【課題】配線器具を簡単に固定することができるとともに、コストを低減することができる、配線用ボックスを提供する。【解決手段】配線用ボックス１０は、前面に開口１１ａを有するボックス本体１１と、そのボックス本体１１に配線器具２を前方側からビス４を用いて取付固定するための固定部５とを備える。この固定部５は、弾性変形可能な係合片５ａ、５ａを有する。ここで、係合片５ａは、固定部５とともに、ボックス本体１１と一体成形されている。そして、係合片５ａには、ビス４のねじ山４ａと係合する係合部５ｂが設けられている。そして、係合部５ｂがねじ山４ａと係合した状態で、ビス４を回動することで、ビス４が進退移動するようになっている。【選択図】  図１
2005006371.tif 000002
【特許請求の範囲】
【請求項１】
前面に開口を有するボックス本体と、そのボックス本体に配線器具を前方側から、軸部に被係合部を有する取付部材を用いて、取付固定するための固定部とを備える、配線用ボックスであって、
前記固定部は、係合片を有し、その係合片には、前記被係合部と係合する係合部が設けられており、
前記係合片は、前記固定部とともに、前記ボックス本体と一体成形され、かつ、
前記固定部への前記軸部の進入を許容すべく、前記係合片は、前記軸部に押された前記係合部が前記被係合部から離脱するように、弾性変形可能に形成されていることを特徴とする配線用ボックス。
【請求項２】
前記固定部には、前記軸部がちょうど嵌まって前記取付部材の横ずれを阻止する嵌合孔が設けられていることを特徴とする請求項１に記載の配線用ボックス。
【請求項３】
前記嵌合孔は、前記係合部よりも前方に位置することを特徴とする請求項２に記載の配線用ボックス。
【請求項４】
前記係合片は、前記嵌合孔の周縁部から、前記固定部への前記軸部の進入方向に延設された係合片本体と、その係合片本体の先端部から前記嵌合孔の軸心側に向かって突出する前記係合部とからなることを特徴とする請求項３に記載の配線用ボックス。
【請求項５】
前記取付部材は、ビスであって、前記被係合部は、そのビスのねじ山からなり、前記係合部が前記ねじ山と係合した状態で前記ビスを回動することで、前記ビスが進退移動することを特徴とする請求項１ないし４のいずれか１項に記載の配線用ボックス。
【請求項６】
前後に開口する開口孔を有するカバー本体と、そのカバー本体に配線器具を前方側から、軸部に被係合部を有する取付部材を用いて、取付固定するための固定部とを備える、配線用ボックスカバーであって、
前記固定部は、係合片を有し、その係合片には、前記被係合部と係合する係合部が設けられており、
前記係合片は、前記固定部とともに、前記カバー本体と一体成形され、かつ、前記固定部への前記軸部の進入を許容すべく、前記係合片は、前記軸部に押された前記係合部が前記被係合部から離脱するように、弾性変形可能に形成されていることを特徴とする配線用ボックスカバー。
【請求項７】
前記固定部には、前記軸部がちょうど嵌まって前記取付部材の横ずれを阻止する嵌合孔が設けられていることを特徴とする請求項６に記載の配線用ボックスカバー。
【請求項８】
前記嵌合孔は、前記係合部よりも前方に位置することを特徴とする請求項７に記載の配線用ボックスカバー。
【請求項９】
前記係合片は、前記嵌合孔の周縁部から、前記固定部への前記軸部の進入方向に延設された係合片本体と、その係合片本体の先端部から前記嵌合孔の軸心側に向かって突出する前記係合部とからなることを特徴とする請求項８に記載の配線用ボックスカバー。
【請求項１０】
前記取付部材は、ビスであって、前記被係合部は、そのビスのねじ山からなり、前記係合部が前記ねじ山と係合した状態で前記ビスを回動することで、前記ビスが進退移動することを特徴とする請求項６ないし９のいずれか１項に記載の配線用ボックスカバー。
【発明の詳細な説明】
【０００１】
【発明の属する技術分野】
この発明は、配線器具を簡単に固定することができるとともに、コストを低減することができる、配線用ボックスおよび配線用ボックスカバーに関するものである。
【０００２】
【従来の技術】
従来、建物の壁表側から配線器具等を固定するには、取付け用のビスを、前記配線器具等が取着された器具枠に挿通するとともに、壁内に隠蔽もしくは埋設された配線用ボックスに設けられたナット、またはそのボックスに取り付けられたボックスカバーに設けられたナットに、前記ビスをねじ込んでいた。
【０００３】
しかし、前記ビスによるねじ込み作業は、ビスをドライバーで回転させて締め込んでゆかなければならず、大変面倒でかつ時間のかかるものであった。
【０００４】
そこで、ナットの替わりに鉄板材を用いたスイッチボックスが考案された（例えば、特許文献１参照）。この鉄板材には、孔が明けられており、その穴の周囲に、放射状に切れ目が入れられることで、多数のたわみ片が形成されていた。そして、ビスを、ドライバーで回転させることなく、孔に押し込むことで、ビスの山が、たわみ片の先端部分に係合し、こうして、配線器具を固定することができた。
【０００５】
【特許文献１】
実開昭５２−６４３９３号公報
【０００６】
【発明が解決しようとする課題】
ところで、前記従来のスイッチボックスにあっては、配線器具を固定するために、スイッチボックスに、鉄板材を組み込まなければならず、コスト高となっていた。
【０００７】
この発明は、上記した従来の欠点を解決するためになされたものであり、その目的とするところは、配線器具を簡単に固定することができるとともに、コストを低減することができる、配線用ボックスおよび配線用ボックスカバーを提供することにある。
【０００８】
【課題を解決するための手段】
この発明に係る配線用ボックスおよび配線用ボックスカバーは、前記目的を達成するために、次の構成からなる。すなわち、
請求項１に記載の発明に係る配線用ボックスは、前面に開口を有するボックス本体と、そのボックス本体に配線器具を前方側から、軸部に被係合部を有する取付部材を用いて、取付固定するための固定部とを備える。この固定部は、係合片を有し、その係合片には、前記被係合部と係合する係合部が設けられている。また、前記係合片は、前記固定部とともに、前記ボックス本体と一体成形され、かつ、前記固定部への前記軸部の進入を許容すべく、前記係合片は、前記軸部に押圧された前記係合部が前記被係合部から離脱するように、弾性変形可能に形成されている。
【０００９】
これにより、この配線用ボックスに配線器具を取り付ける場合には、この配線用ボックスの固定部に、前方側から取付部材を押し込むように押圧する。こうすることで、係合片に設けられた係合部が取付部材の軸部に押圧され、それに共なって、係合片が弾性変形して、係合部は、軸部の被係合部から離脱し、軸部は、固定部へ進入する。そして、取付部材の押し込みを終えると、係合部は、取付部材における被係合部と係合し、配線器具は、ボックス本体、つまりは配線用ボックスに取付固定される。ここにおいて、係合片は、固定部とともに、ボックス本体と一体成形されており、この配線用ボックスは、簡単な構成となっている。
【００１０】
また、請求項２に記載の発明に係る配線用ボックスのように、請求項１に記載の配線用ボックスにおいて、前記固定部には、前記軸部がちょうど嵌まって前記取付部材の横ずれを阻止する嵌合孔が設けられてもよい。こうして、取付部材は、その軸部が嵌合孔にちょうど嵌まって横ずれが阻止されるので、軸部が固定部に進入して、係合部が軸部の被係合部と係合した際に、軸部は、固定部にしっかりと保持される。
【００１１】
また、請求項３に記載の発明に係る配線用ボックスのように、請求項２に記載の配線用ボックスにおいて、前記嵌合孔は、前記係合部よりも前方に位置するのが望ましい。これにより、取付部材を押し込んだとき、取付部材の軸部は、嵌合孔に案内されながら固定部に進入する。
【００１２】
また、請求項４に記載の発明に係る配線用ボックスのように、請求項３に記載の配線用ボックスにおいて、前記係合片は、前記嵌合孔の周縁部から、前記固定部への前記軸部の進入方向に延設された係合片本体と、その係合片本体の先端部から前記嵌合孔の軸心側に向かって突出する前記係合部とからなってもよい。このように、係合片本体が、嵌合孔の周縁部から、軸部の進入方向に延設されることで、例えば、この配線用ボックスが合成樹脂成形される際に、その型抜きが容易となる。
【００１３】
また、請求項５に記載の発明に係る配線用ボックスのように、請求項１ないし４のいずれか１項に記載の配線用ボックスにおいて、前記取付部材は、ビスであって、前記被係合部は、そのビスのねじ山からなり、前記係合部が前記ねじ山と係合した状態で前記ビスを回動することで、前記ビスが進退移動してもよい。これにより、配線用ボックスに配線器具を取り付ける際に、配線用ボックスの固定部に、ビスの軸部を押し込んだ後、さらに、そのビスを、その締付け方向に回動することが可能となる。そして、配線用ボックスから配線器具を取り外すことも可能となる。すなわち、ねじ山が係合部に係合されたビスを、その緩み方向に回動する。こうすることで、ビスは、後退し、固定部から取り除かれて、配線器具は、ボックス本体、つまりは配線用ボックスから取り外される。
【００１４】
また、請求項６に記載の発明に係る配線用ボックスカバーは、前後に開口する開口孔を有するカバー本体と、そのカバー本体に配線器具を前方側から、軸部に被係合部を有する取付部材を用いて、取付固定するための固定部とを備える。この固定部は、係合片を有し、その係合片には、前記被係合部と係合する係合部が設けられている。また、係合片は、前記固定部とともに、前記カバー本体と一体成形され、かつ、前記固定部への前記軸部の進入を許容すべく、前記係合片は、前記軸部に押圧された前記係合部が前記被係合部から離脱するように、弾性変形可能に形成されている。
【００１５】
これにより、この配線用ボックスカバーに配線器具を取り付ける場合には、この配線用ボックスカバーの固定部に、前方側から取付部材を押し込むように押圧する。こうすることで、係合片に設けられた係合部が取付部材の軸部に押圧され、それに共なって、係合片が弾性変形して、係合部は、軸部の被係合部から離脱し、軸部は、固定部へ進入する。そして、取付部材の押し込みを終えると、係合部は、取付部材における被係合部と係合し、配線器具は、カバー本体、つまりは配線用ボックスカバーに取付固定される。ここにおいて、係合片は、固定部とともに、カバー本体と一体成形されており、この配線用ボックスカバーは、簡単な構成となっている。
【００１６】
また、請求項７に記載の発明に係る配線用ボックスカバーのように、請求項６に記載の配線用ボックスカバーにおいて、前記固定部には、前記軸部がちょうど嵌まって前記取付部材の横ずれを阻止する嵌合孔が設けられてもよい。こうして、取付部材は、その軸部が嵌合孔にちょうど嵌まって横ずれが阻止されるので、軸部が固定部に進入して、係合部が軸部の被係合部と係合した際に、軸部は、固定部にしっかりと保持される。
【００１７】
また、請求項８に記載の発明に係る配線用ボックスカバーのように、請求項７に記載の配線用ボックスカバーにおいて、前記嵌合孔は、前記係合部よりも前方に位置するのが望ましい。これにより、取付部材を押し込んだとき、取付部材の軸部は、嵌合孔に案内されながら固定部に進入する。
【００１８】
また、請求項９に記載の発明に係る配線用ボックスカバーのように、請求項８に記載の配線用ボックスカバーにおいて、前記係合片は、前記嵌合孔の周縁部から、前記固定部への前記軸部の進入方向に延設された係合片本体と、その係合片本体の先端部から前記嵌合孔の軸心側に向かって突出する前記係合部とからなってもよい。このように、係合片本体が、嵌合孔の周縁部から、軸部の進入方向に延設されることで、例えば、この配線用ボックスカバーが合成樹脂成形される際に、その型抜きが容易となる。
【００１９】
また、請求項１０に記載の発明に係る配線用ボックスカバーのように、請求項６ないし９のいずれか１項に記載の配線用ボックスカバーにおいて、前記取付部材は、ビスであって、前記被係合部は、そのビスのねじ山からなり、前記係合部が前記ねじ山と係合した状態で前記ビスを回動することで、前記ビスが進退移動してもよい。これにより、配線用ボックスカバーに配線器具を取り付ける際に、配線用ボックスカバーの固定部に、ビスの軸部を押し込んだ後、さらに、そのビスを、その締付け方向に回動することが可能となる。そして、配線用ボックスカバーから配線器具を取り外すことも可能となる。すなわち、ねじ山が係合部に係合されたビスを、その緩み方向に回動する。こうすることで、ビスは、後退し、固定部から取り除かれて、配線器具は、カバー本体、つまりは配線用ボックスカバーから取り外される。
【００２０】
【発明の実施の形態】
以下、この発明に係る配線用ボックスおよび配線用ボックスカバーの実施の形態を図面に基づいて説明する。
【００２１】
図１ないし図４は、本発明の第一の実施の形態として、配線用ボックスの一実施の形態を示す。図中符号１は、建物の壁である。２は、コンセントとかスイッチ等の配線器具である。３は、その配線器具２を保持する保持材としての保持パネルである。４は、取付部材としてのビスであり、その軸部４ｂに、その軸方向に並ぶ被係合部としてのねじ山４ａを有している。１０は、配線用ボックスである。
【００２２】
保持パネル３は、枠状に形成されており、その枠内に、配線器具２が取り付けられる。そして、保持パネル３は、その各側、例えば上下の各側に、ビス４が挿通される孔３ａが形成されている。
【００２３】
配線用ボックス１０は、例えば合成樹脂製であって、前面に開口１１ａを有するボックス本体１１と、そのボックス本体１１に配線器具２を前方側からビス４、４を用いて取付固定するための固定部５、５とを備える。この固定部５は、係合片５ａ、５ａを有し、それら係合片５ａ、５ａは、固定部５とともに、ボックス本体１１と一体成形されている。ここで、係合片５ａには、前記ビス４のねじ山４ａと係合する係合部５ｂが設けられている。また、この係合片５ａは、固定部５への、ビス４の軸部４ｂの進入を許容すべく、軸部４ｂに押された係合部５ｂがねじ山４ａから離脱するように、弾性変形可能に形成されている。そして、係合部５ｂがねじ山４ａと係合した状態で、ビス４を回動することで、そのビス４が進退移動するようになっている。さらに、固定部５には、ビス４の軸部４ｂがちょうど嵌まってビス４の横ずれを阻止する嵌合孔５ｃが設けられている。図示実施の形態においては、この嵌合孔５ｃは、係合部５ｂよりも前方に位置している。
【００２４】
具体的には、ボックス本体１１は、前方が開放した箱形形状、例えば直方体形状をしている。そして、固定部５は、ボックス本体１１の、例えば上下の各側に設けられており、図示実施の形態においては、ボックス本体１１の底壁１１ｂから前方に筒状に突出するようにして形成されている。そこで、固定部５の先端部分に、前記嵌合孔５ｃが明けられており、この嵌合孔５ｃの前方に、ビス４の軸部４ｂを嵌合孔５ｃに案内する面取り部５ｄが形成されている（図３参照）。そして、前記係合片５ａは、嵌合孔５ｃの周縁部から、固定部５への軸部４ｂの進入方向に延設された係合片本体５ｅと、その係合片本体５ｅの先端部から嵌合孔５ｃの軸心側に向かって突出する前記係合部５ｂとからなっている。この係合片５ａは、図示実施の形態においては、四つ設けられており、それらの各二つが、互いに対向するように位置している。
【００２５】
次に、以上の構成からなる配線用ボックス１０の作用効果について説明する。この配線用ボックス１０は、予め、壁１の裏側の柱等に、木ねじ等の固着具により取り付けられている。そこで、この配線用ボックス１０に配線器具２を取り付けるには、配線用ボックス１０に対応して、壁１に明けられた壁孔１ａ部分における、壁１の表側に、配線器具２が取り付けられた保持パネル３を宛がう。その後、ビス４、４（詳細には、軸部４ｂ、４ｂ）を保持パネル３の孔３ａ、３ａに通し、この配線用ボックス１０の固定部５、５に、前方側からそのビス４、４を押し込むように押圧する。こうすることで、ビス４の軸部４ｂは、固定部５の嵌合孔５ｃを通り、その軸部４ｂによって、係合片５ａ、５ａに設けられた係合部５ｂ、５ｂが押圧される。そして、その押圧に共なって、係合片５ａ、５ａが弾性変形して、係合部５ｂ、５ｂは、ねじ山４ａから離脱する。こうして、ビス４の軸部４ｂは、固定部５へ進入することができる。そして、ビス４の押し込みを終えると、係合部５ｂ、５ｂは、ビス４のねじ山４ａと係合し、配線器具２は、ボックス本体１１、つまりは配線用ボックス１０に、保持パネル３を介して取付固定される。このように、ビス４、４を押し込むことで、この配線用ボックス１０に配線器具２を簡単に固定することができる。もっとも、ビス４の軸部４ｂを固定部５に押し込んだ後、さらに、そのビス４を、その締付け方向に回動してもよい。このように、ビス４の回動を加えることで、この配線用ボックス１０に配線器具２を強固に固定することが可能となる。
【００２６】
また、このとき、ビス４は、その軸部４ｂが嵌合孔５ｃにちょうど嵌まって横ずれが阻止されるので、軸部４ｂが固定部５に進入して、係合部５ｂが軸部４ｂのねじ山４ａと係合した際に、軸部４ｂを固定部５にしっかりと保持することができる。その上、係合片５ａにおける係合片本体５ｅは、嵌合孔５ｃの周縁部から、ビス４の進入方向に延設され、すなわち後方に向かって延設され、そして、その係合片本体５ｅの先端部に、前記係合部５ｂが設けられている。したがって、嵌合孔５ｃは、係合部５ｂよりも前方に位置しており、ビス４を押し込んだとき、ビス４の軸部４ｂは、嵌合孔５ｃに案内されながら固定部５に進入することとなる。すなわち、ビス４の軸部４ｂが嵌合孔５ｃに案内されることで、その軸部４ｂは、容易に固定部５に進入することができる。
【００２７】
反対に、配線用ボックス１０から配線器具２を取り外す場合には、ねじ山４ａが係合部５ｂに係合されたビス４を、その緩み方向に回動する。こうすることで、ビス４は、後退し、固定部５から取り除かれて、配線器具２は、保持パネル３とともに、ボックス本体１１、つまりは配線用ボックス１０から取り外される。
【００２８】
ここにおいて、係合片５ａは、固定部５とともに、ボックス本体１１と一体成形されている。このように、この配線用ボックス１０は、簡単な構成となっており、この配線用ボックス１０のコストを低減することができる。
【００２９】
また、固定部５において、係合片本体５ｅが、嵌合孔５ｃの周縁部から、ビス４の進入方向に延設されることで、この配線用ボックス１０が、例えば合成樹脂成形のように、金型によって成形される際に、その型抜きが容易となる。
【００３０】
図５および図６は、本発明の第二の実施の形態として、配線用ボックスカバーの一実施の形態を示す。この実施の形態においては、配線用ボックス２０に、その前方から、配線用ボックスカバー３０が組み付けられ、そして、その配線用ボックスカバー３０に、第一の実施の形態と同様の固定部、つまり、係合片５ａ、５ａと嵌合孔５ｃ等を有する固定部５が設けられる。
【００３１】
詳細には、配線用ボックスカバー３０は、例えば合成樹脂製であって、前後に開口する開口孔３１ａを有するカバー本体３１と、そのカバー本体３１に配線器具２を前方側から、取付部材としてのビス４、４を用いて、取付固定するための前記固定部５、５とを備える。そして、この固定部５に備わる係合片５ａ、５ａは、固定部５とともに、カバー本体３１と一体成形されている。
【００３２】
具体的には、この配線用ボックスカバー３０においては、カバー本体３１は、例えば長方形をした枠状に形成されて、その内側が、前記開口孔３１ａとなっている。そして、カバー本体３１は、その内周側から前方に突出する第１周壁３１ｂと、外周側から後方に突出する第２周壁３１ｃとを備えている。そして、前記固定部５は、カバー本体３１における第１周壁３１ｂの、例えば上下の各側に設けられている。また、第２周壁３１ｃの内面には、例えば上下の各側に、凹部３１ｄが形成されている。
【００３３】
一方、配線用ボックス２０は、前方が開放した箱形形状、例えば直方体形状をしている。そして、その配線用ボックス２０の側壁２０ａには、例えば上下の各側に、突起２０ｂが形成されている。ここで、突起２０ｂは、配線用ボックスカバー３０の凹部３１ｄに係合し、こうして、配線用ボックスカバー３０は、配線用ボックス２０に取付固定される。そして、図示実施の形態においては、配線用ボックスカバー３０と配線用ボックス２０とが組み付けられて、例えばコンクリートからなる壁１に、開口孔３１ａが壁１の表側に臨むようにして埋設される。そして、この配線用ボックスカバー３０においても、第一の実施の形態の配線用ボックス１０と同様に、ビス４を用いて、配線器具２が、カバー本体３１、つまりは配線用ボックスカバー３０に、保持パネル３を介して取付固定される。こうして、この配線用ボックスカバー３０は、第一の実施の形態の配線用ボックス１０と同様の作用効果を有する。
【００３４】
なお、本発明は、上述した実施の形態に限定されるわけではなく、その他種々の変更が可能である。例えば、図７に示すように、係合片５ａに設けられた係合部５ｂは、ビス４のねじ山４ａとちょうど係合するように、そのねじ山４ａの螺旋に沿うようにして形成されてもよい。すなわち、特に、この図７のように、係合片５ａが、複数ある場合には、それら係合片５ａ、５ａに設けられた係合部５ｂ、５ｂは、ビス４のねじ山４ａとちょうど係合するように、互いに、ビス４の軸方向に対してずれて形成される。そして、このように係合部５ｂを設けることで、その係合部５ｂを、ねじ山４ａに確実に係合させることができる。また、同じく、図７に示すように、係合部５ｂは、ビス４のねじ山４ａ、４ａ間の谷部にぴったり嵌るように、例えば略Ｖ字形状に形成されてもよい。そして、このように係合部５ｂが形成されることで、係合部５ｂの厚みを大きくして、その係合部５ｂの強度を高めることができる。また、これらのことは、配線用ボックス１０における係合片５ａのみならず、配線用ボックスカバー３０における係合片５ａについても、同様に適用できる。
【００３５】
また、固定部５には、ビス４の軸部４ｂがちょうど嵌まる嵌合孔５ｃが設けられているが、この嵌合孔５ｃは無くともよい。
【００３６】
また、係合片５ａにおける係合片本体５ｅは、ビス４（詳細には、軸部４ｂ）の進入方向に延設されなくとも、ビス４（詳細には、軸部４ｂ）の進入方向と角度を持つようにして延設されてもよい。また、係合片５ａの数も、四つでなくとも、一つ〜三つ、あるいは五つ以上であってもよく、また、その全てが弾性変形するものである必要はない。
【００３７】
また、配線器具２は、ボックス本体１１（配線用ボックス１０）あるいはカバー本体３１（配線用ボックスカバー３０）に、保持パネル３を介して取付固定されるが、直接取付固定されるものであってもよい。
【００３８】
また、取付部材は、軸部４ｂにその軸方向に並ぶ被係合部が設けられていれば、ビス４でなくとも、例えば、被係合部として、リング状の凸条が、軸方向に並んで設けられるものであってもよい。もっとも、場合によっては、この取付部材の代わりに、軸部に凹凸のない平滑な被係合部を設けることで、係合部が、その平滑な被係合部と係合してもよい。
【００３９】
【発明の効果】
以上、詳述したところから明らかなように、この発明に係る配線用ボックスおよび配線用ボックスカバーによれば、次の効果がある。
【００４０】
請求項１に記載された配線用ボックスによれば、取付部材を押し込むことで、この配線用ボックスに配線器具を簡単に固定することができる。そして、係合片が、固定部とともに、ボックス本体と一体成形されて、配線用ボックスは、簡単な構成となっているため、この配線用ボックスのコストを低減することができる。
【００４１】
また、請求項２に記載された配線用ボックスによれば、請求項１の効果に加えて、取付部材は、その軸部が嵌合孔にちょうど嵌まって横ずれが阻止されるので、係合部が軸部の被係合部と係合した際に、軸部を固定部にしっかりと保持することができる。
【００４２】
また、請求項３に記載された配線用ボックスによれば、請求項２の効果に加えて、取付部材を押し込んだとき、取付部材の軸部は、嵌合孔に案内されながら固定部に進入するので、その軸部は、容易に固定部に進入することができる。
【００４３】
また、請求項４に記載された配線用ボックスによれば、請求項３の効果に加えて、例えば、この配線用ボックスが合成樹脂成形される際に、その型抜きを容易に行うことができる。
【００４４】
また、請求項５に記載された配線用ボックスによれば、請求項１ないし４のいずれか１項の効果に加えて、取付部材がビスであることから、配線用ボックスから配線器具を取り外すことができる。
【００４５】
請求項６に記載された配線用ボックスカバーによれば、取付部材を押し込むことで、この配線用ボックスカバーに配線器具を簡単に固定することができる。そして、係合片が、固定部とともに、カバー本体と一体成形されて、配線用ボックスカバーは、簡単な構成となっているため、この配線用ボックスカバーのコストを低減することができる。
【００４６】
また、請求項７に記載された配線用ボックスカバーによれば、請求項６の効果に加えて、取付部材は、その軸部が嵌合孔にちょうど嵌まって横ずれが阻止されるので、係合部が軸部の被係合部と係合した際に、軸部を固定部にしっかりと保持することができる。
【００４７】
また、請求項８に記載された配線用ボックスカバーによれば、請求項７の効果に加えて、取付部材を押し込んだとき、取付部材の軸部は、嵌合孔に案内されながら固定部に進入するので、その軸部は、容易に固定部に進入することができる。
【００４８】
また、請求項９に記載された配線用ボックスカバーによれば、請求項８の効果に加えて、例えば、この配線用ボックスカバーが合成樹脂成形される際に、その型抜きを容易に行うことができる。
【００４９】
また、請求項１０に記載された配線用ボックスカバーによれば、請求項６ないし９のいずれか１項の効果に加えて、取付部材がビスであることから、配線用ボックスカバーから配線器具を取り外すことができる。
【図面の簡単な説明】
【図１】この発明に係る配線用ボックスの一実施の形態の、縦断面図である。
【図２】同じく、配線用ボックスの正面図である。
【図３】同じく、図１におけるＡ部拡大図である。
【図４】同じく、図３におけるＢ−Ｂ線による断面図である。
【図５】この発明に係る配線用ボックスカバーの一実施の形態の、縦断面図である。
【図６】同じく、図５におけるＣ部拡大図である。
【図７】この発明に係る配線用ボックスの他の実施の形態の、図３相当図である。
【符号の説明】
２  配線器具                      ４  ビス（取付部材）
４ａ  ねじ山（被係合部）          ４ｂ  軸部
５  固定部                        ５ａ  係合片
５ｂ  係合部                      ５ｃ  嵌合孔
５ｅ  係合片本体
１０  配線用ボックス              １１  ボックス本体
１１ａ  開口
３０  配線用ボックスカバー        ３１  カバー本体
３１ａ  開口孔
【図１】
2005006371.tif 000003
【図２】
2005006371.tif 000004
【図３】
2005006371.tif 000005
【図４】
2005006371.tif 000006
【図５】
2005006371.tif 000007
【図６】
2005006371.tif 000008
【図７】
2005006371.tif 000009